(57)【要約】  本発明に係る実施例は無線通信技術分野に関し、特に、フィードバックの送受信方法及び装置に関する。現在、ｅＮｏｄｅＢがＰＤＣＣＨ命令を送信した後、ＵＥが成功に受信したがどうかを把握できないとの従来技術における問題点を解決する。本発明に係る実施例端末はネットワーク側装置からのＰＤＣＣＨ命令を受信した後、前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信することにより、ネットワーク側装置にＰＤＣＣＨ命令受信成功を通知し、これにより、ｅＮｏｄｅＢがＰＤＣＣＨ命令を送信した後、ＵＥが成功に受信したか否かを判断することができ、システム性能をさらに向上することができる。【選択図】図1
2018533325.tif 000002
【特許請求の範囲】
【請求項１】
端末はネットワーク側装置から物理ダウンリンク制御チャネル（ＰＤＣＣＨ）命令を受信するステップと、
前記端末は、前記ＰＤＣＣＨ命令受信成功のフィードバック情報を、メディアアクセス制御プロトコルデータユニットＭＡＣ ＰＤＵ内のメディアアクセス層ＭＡＣ制御エレメント或バッファ状態報告ＢＳＲ ＭＡＣ制御エレメントを介して、前記ネットワーク側装置に送信するステップとを備えることを特徴とするフィードバックの送信方法。
【請求項２】
前記端末が前記ＰＤＣＣＨ命令受信成功のフィードバック情報をＭＡＣ ＰＤＵ内のＭＡＣ制御エレメントまたはＢＳＲ ＭＡＣ制御エレメントを介して前記ネットワーク側装置に送信するステップは、前記端末は、ネットワーク側装置からのＰＤＣＣＨ命令を受信した後、直近のアップリンク伝送または直近のＳＰＳ Ｏｃｃａｓｉｏｎにおいて、前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信することを特徴とする請求項１に記載のフィードバックの送信方法。
【請求項３】
前記端末が前記ＰＤＣＣＨ命令受信成功のフィードバック情報をＭＡＣ ＰＤＵ内のＭＡＣ制御エレメントを介して前記ネットワーク側装置に送信するステップは、前記端末は、前記ＰＤＣＣＨ命令受信成功のフィードバック情報を、新たなＭＡＣ制御エレメントを介して、前記ネットワーク側装置に送信し、
前記新たなＭＡＣ制御エレメントは、３ＧＰＰ ＴＳ ３６.３２１プロトコルに規定されたＭＡＣ制御エレメントと異なるＭＡＣ制御エレメントであることを特徴とする請求項１に記載のフィードバックの送信方法。
【請求項４】
前記新たなＭＡＣ制御エレメント長は、０ｂｉｔまたは８ｂｉｔであることを特徴とする請求項３に記載のフィードバックの送信方法。
【請求項５】
前記端末が、ネットワーク側装置からのＰＤＣＣＨ命令を受信した後、前記ＰＤＣＣＨ命令受信成功のフィードバック情報を、ＭＡＣ ＰＤＵ内のＭＡＣ制御エレメントを介して、前記ネットワーク側装置に送信する前、前記端末は、新たな第１ＭＡＣサブヘッダー論理チャネル識別子値を、前記ＭＡＣ ＰＤＵに入れるステップをさらに備え、
前記新たな第１ＭＡＣサブヘッダー論理チャネル識別子値は、前記ＭＡＣ制御エレメントが新たなＭＡＣ制御エレメントであることを示すためのものであることを特徴とする請求項３に記載のフィードバックの送信方法。
【請求項６】
前記端末が前記ＰＤＣＣＨ命令受信成功のフィードバック情報をＭＡＣ ＰＤＵ内のＢＳＲ ＭＡＣ制御エレメントを介して前記ネットワーク側装置に送信するステップは、前記端末は、前記ＰＤＣＣＨ命令受信成功のフィードバック情報を、新たなＢＳＲ ＭＡＣ制御エレメントを介して、前記ネットワーク側装置に送信し、
前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントであることを特徴とする請求項１に記載のフィードバックの送信方法。
【請求項７】
前記新たなＢＳＲ ＭＡＣ制御エレメントの構成はは、ｌｏｎｇ ＢＳＲ、ｓｈｏｒｔ ＢＳＲ及びｔｒｕｎｃａｔｅｄ ＢＳＲのうちの一部であるか全部であることを特徴とする請求項６に記載のフィードバックの送信方法。
【請求項８】
前記新たなＢＳＲ ＭＡＣ制御エレメントのＭＡＣ ＰＤＵには従来のＢＳＲ ＭＡＣ制御エレメントが有さなく、
前記従来のＢＳＲ ＭＡＣ制御エレメントは、３ＧＰＰ ＴＳ ３６.３２１プロトコルに規定されたＢＳＲ ＭＡＣ制御エレメントであることを特徴とする請求項６に記載のフィードバックの送信方法。
【請求項９】
前記端末は、ネットワーク側装置からのＰＤＣＣＨ命令を受信した後、前記ＰＤＣＣＨ命令受信成功のフィードバック情報を、ＭＡＣ ＰＤＵ内のＢＳＲ ＭＡＣ制御エレメントを介して、前記ネットワーク側装置に送信する前、前記端末は、新たな第２ＭＡＣサブヘッダー論理チャネル識別子値を、前記ＭＡＣ ＰＤＵに入れるステップをさらに備え、
前記新たな第２ＭＡＣサブヘッダー論理チャネル識別子値は、前記ＢＳＲ ＭＡＣ制御エレメントが新たなＢＳＲ ＭＡＣ制御エレメントであることを示すためのものであることを特徴とする請求項６に記載のフィードバックの送信方法。
【請求項１０】
ネットワーク側装置は、端末にＰＤＣＣＨ命令を送信するステップと、
前記ネットワーク側装置は、前記端末からのＭＡＣ制御エレメントまたはＢＳＲ ＭＡＣ制御エレメントを受信した後、前記端末が前記ＰＤＣＣＨ命令受信成功のフィードバック情報をＭＡＣ ＰＤＵ内のＭＡＣ制御エレメントまたはＢＳＲ ＭＡＣ制御エレメントを介して送信すると確定した後、前記端末が前記ＰＤＣＣＨ命令を成功に受信したと確定するステップとを備えることを特徴とするフィードバックの受信方法。
【請求項１１】
前記ネットワーク側装置が、前記端末が前記ＰＤＣＣＨ命令受信成功のフィードバック情報をＭＡＣ ＰＤＵ内のＭＡＣ制御エレメントを介して送信すると確定するステップは、前記ネットワーク側装置は、前記端末が、前記ＰＤＣＣＨ命令受信成功のフィードバック情報を、新たなＭＡＣ制御エレメントを介して、前記ネットワーク側装置に送信すると確定し、
前記新たなＭＡＣ制御エレメントは、３ＧＰＰ ＴＳ ３６.３２１プロトコルに規定されたＭＡＣ制御エレメントと異なるＭＡＣ制御エレメントであることを特徴とする請求項１０に記載のフィードバックの受信方法。
【請求項１２】
前記ネットワーク側装置は、前記端末が前記ＰＤＣＣＨ命令受信成功のフィードバック情報をＭＡＣ ＰＤＵ内のＢＳＲ ＭＡＣ制御エレメントを介して送信すると確定するステップは、前記ネットワーク側装置は、前記端末が、前記ＰＤＣＣＨ命令受信成功のフィードバック情報を、新たなＢＳＲ ＭＡＣ制御エレメントを介して、前記ネットワーク側装置に送信すると確定し、
前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントである。ことを特徴とする請求項１０に記載のフィードバックの受信方法。
【請求項１３】
ネットワーク側装置からのＰＤＣＣＨ命令を受信する第１受信モジュールと、
前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信する送信モジュールとを備えることを特徴とするフィードバックを送信する端末。
【請求項１４】
前記送信モジュールは、ネットワーク側装置からのＰＤＣＣＨ命令を受信した後、直近のアップリンク伝送または直近のＳＰＳ Ｏｃｃａｓｉｏｎにおいて、前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信することを特徴とする請求項１３に記載のフィードバックを送信する端末。
【請求項１５】
前記送信モジュールは、前記ＰＤＣＣＨ命令受信成功のフィードバック情報を、新たなＭＡＣ制御エレメントを介して、前記ネットワーク側装置に送信し、
前記新たなＭＡＣ制御エレメントは、３ＧＰＰ ＴＳ ３６.３２１プロトコルに規定されたＭＡＣ制御エレメントと異なるＭＡＣ制御エレメントであることを特徴とする請求項１３に記載のフィードバックを送信する端末。
【請求項１６】
前記新たなＭＡＣ制御エレメント長は、０ｂｉｔまたは８ｂｉｔであることを特徴とする請求項１５に記載のフィードバックを送信する端末。
【請求項１７】
前記送信モジュールは、新たな第１ＭＡＣサブヘッダー論理チャネル識別子値を前記ＭＡＣ ＰＤＵに入れ、
前記新たな第１ＭＡＣサブヘッダー論理チャネル識別子値は、前記ＭＡＣ制御エレメントが新たなＭＡＣ制御エレメントであることを示すためのものであることを特徴とする請求項１５に記載のフィードバックを送信する端末。
【請求項１８】
前記送信モジュールは、前記ＰＤＣＣＨ命令受信成功のフィードバック情報を、新たなＢＳＲ ＭＡＣ制御エレメントを介して、前記ネットワーク側装置に送信し、
前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントであることを特徴とする請求項１３に記載のフィードバックを送信する端末。
【請求項１９】
前記新たなＢＳＲ ＭＡＣ制御エレメントの構成は、ｌｏｎｇ ＢＳＲ、ｓｈｏｒｔ ＢＳＲ及びｔｒｕｎｃａｔｅｄ ＢＳＲのうちの一部であるか全部であることを特徴とする請求項１８に記載のフィードバックを送信する端末。
【請求項２０】
前記新たなＢＳＲ ＭＡＣ制御エレメントのＭＡＣ ＰＤＵには従来のＢＳＲ ＭＡＣ制御エレメントが有さなく、
前記従来のＢＳＲ ＭＡＣ制御エレメントは、３ＧＰＰ ＴＳ ３６.３２１プロトコルに規定されたＢＳＲ ＭＡＣ制御エレメントであることを特徴とする請求項１８に記載のフィードバックを送信する端末。
【請求項２１】
前記送信モジュールは、新たな第２ＭＡＣサブヘッダー論理チャネル識別子値を前記ＭＡＣ ＰＤＵに入れ、
前記新たな第２ＭＡＣサブヘッダー論理チャネル識別子値は、前記ＢＳＲ ＭＡＣ制御エレメントが新たなＢＳＲ ＭＡＣ制御エレメントであることを示すためのものであることを特徴とする請求項１８に記載のフィードバックを送信する端末。
【請求項２２】
前記ネットワーク側装置は、
端末にＰＤＣＣＨ命令を送信する第２送信モジュールと、
前記端末からのＭＡＣ制御エレメントまたはＢＳＲ ＭＡＣ制御エレメントを受信した後、前記端末が前記ＰＤＣＣＨ命令受信成功のフィードバック情報をＭＡＣ ＰＤＵ内のＭＡＣ制御エレメントまたはＢＳＲ ＭＡＣ制御エレメントを介して送信すると確定した後、前記端末が前記ＰＤＣＣＨ命令を成功に受信したと確定する処理モジュールとを備えることを特徴とするフィードバックを受信するネットワーク側装置。
【請求項２３】
前記処理モジュールは、
前記端末が前記ＰＤＣＣＨ命令受信成功のフィードバック情報を新たなＭＡＣ制御エレメントを介して前記ネットワーク側装置に送信すると確定し、
前記新たなＭＡＣ制御エレメントは、３ＧＰＰ ＴＳ ３６.３２１プロトコルに規定されたＭＡＣ制御エレメントと異なるＭＡＣ制御エレメントであることを特徴とする請求項２２に記載のフィードバックを受信するネットワーク側装置。
【請求項２４】
前記処理モジュールは、前記端末が前記ＰＤＣＣＨ命令受信成功のフィードバック情報を新たなＢＳＲ ＭＡＣ制御エレメントを介して前記ネットワーク側装置に送信すると確定し、
前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントであることを特徴とする請求項２２に記載のフィードバックを受信するネットワーク側装置。
【発明の詳細な説明】
【技術分野】
【０００１】
本出願は、２０１５年１１月２日に中国特許局に提出し、出願番号が２０１５１０７３６０３２.２であり、発明名称が「フィードバックの送受信方法及び装置」との中国特許出願を基礎とする優先権を主張し、その開示の総てをここに取り込む。
【０００２】
本発明は無線通信技術分野に関し、特にフィードバックの送受信方法及び装置に関する。
【背景技術】
【０００３】
３Ｇから４Ｇまで、ＬＴＥ（Ｌｏｎｇ Ｔｅｒｍ Ｅｖｏｌｕｔｉｏｎ）/ＬＴＥ−Ａ（Ｌｏｎｇ Ｔｅｒｍ Ｅｖｏｌｕｔｉｏｎ−Ａｄｖａｎｃｅｄ）は、今の世界の主流のモバイル通信技術として、すでに広範囲に商用化されている。
【０００４】
アップグレードされたサービスニーズ及びサービス体験に応じるようにするため、ＬＴＥ/ＬＴＥ−Ａシステムに大量な新技術が導入され、サービス効率を向上する。例えば、マルチアンテナ技術（ＭＩＭＯ）、キャリア・アグリゲイション（Ｃａｒｒｉｅｒ Ａｇｇｒｅｇａｔｉｏｎ、ＣＡ）、２５６ＱＡＭ（２５６ Ｑｕａｄｒａｔｕｒｅ Ａｍｐｌｉｔｕｄｅ Ｍｏｄｕｌａｔｉｏｎ）などが導入された。３ＧＰＰリリース（ｒｅｌｅａｓｅ）８の以来、システム（理論的）のピーク速度は１００Ｍｂｐｓから４Ｇｂｐｓまで引き上げられた。
【０００５】
より短いアップリンク遅延を得るため、現在の対応案としては、アップリンクスケジューリング要求（Ｓｃｈｅｄｕｌｉｎｇ Ｒｅｑｕｅｓｔ、ＳＲ）過程を省略して、無線リソースの割り当て、高速アップリンク送信の方法を、アップリンク・スケジューリング・グラントにより直ちにＵＥ（Ｕｓｅｒ Ｅｑｕｉｐｍｅｎｔ、端末とも呼ぶ）に許可する。グラント方式は、動的なスケジューリング（Ｄｙｎａｍｉｃ ｓｃｈｅｄｕｌｉｎｇ）または半永続スケジューリング（Ｓｅｍｉ−Ｐｅｒｓｉｓｔｅｎｔ Ｓｃｈｅｄｕｌｉｎｇ、ＳＰＳ）を含む。従来のＬＴＥ/ＬＴＥ−Ａシステムにおいて、ＵＥは、ＰＤＣＣＨからアップリンクスケジューリング・グラントを受信し、同時に、該当時刻においてアップリンクデータを伝送する。もしＵＥのバッファにアップリンクデータが格納されていなければ、空バッファ状態報告（ｅｍｐｔｙ ＢＳＲ、Ｂｕｆｆｅｒ Ｓｔａｔｕｓ Ｒｅｐｏｒｔ、ＢＳＲ）を搭載する埋め込みデータ（ｐａｄｄｉｎｇ）を送信する必要がある。
【０００６】
半永続スケジューリングの場合、従来のとおり、ｅＮｏｄｅＢ（進化型基地局）は、ＵＥにより送信されたアップリンクデータまたパディングに基づき、ＵＥが（再）活性化/消去（ｒｅｌｅａｓｅ）ＳＰＳ命令をすでに成功に受信し、かつ、ＵＥがいかなるアップリンク伝送を行わないと判断する場合、ｅＮｏｄｅＢは、物理ダウンリンク制御チャネル（Ｐｈｙｓｉｃａｌ Ｄｏｗｎｌｉｎｋ Ｃｏｎｔｒｏｌ Ｃｈａｎｎｅｌ、ＰＤＣＣＨ）の受信が失敗したと判断できる。アップリンク伝送メカニズムを無視すると、ＵＥに（再）アクティブ化/消去ＳＰＳリソース命令を送信した後、対応のアップリンク時刻においてユーザーからのデータまたはパディングデータを受信していなければ、ｅＮｏｄｅＢは、ＵＥが（再）アクティブ化/消去ＳＰＳリソース命令を成功にしたかどうかを判断できなくなる。
【０００７】
よって、現在、ｅＮｏｄｅＢがＰＤＣＣＨ命令を送信した後、ＵＥが成功に受信したがどうかを把握できない。
【発明の概要】
【発明が解決しようとする課題】
【０００８】
本発明はフィードバックの送受信方法及び装置を提供し、現在、ｅＮｏｄｅＢがＰＤＣＣＨ命令を送信した後、ＵＥが成功に受信したがどうかを把握できない従来技術における問題点を解決できる。
【課題を解決するための手段】
【０００９】
本発明に係る実施例のフィードバックの送信方法は、
端末はネットワーク側装置から物理ダウンリンク制御チャネル（ＰＤＣＣＨ）命令を受信するステップと、
前記端末は、前記ＰＤＣＣＨ命令受信成功のフィードバック情報を、メディアアクセス制御プロトコルデータユニット（Ｍｅｄｉａ Ａｃｃｅｓｓ Ｃｏｎｔｒｏｌ Ｐｒｏｔｏｃｏｌ Ｄａｔａ ｕｎｉｔ  ＭＡＣ ＰＤＵ）内のメディアアクセス層ＭＡＣ制御エレメントまたはバッファ状態報告ＢＳＲ ＭＡＣ制御エレメントにより、前記ネットワーク側装置に送信するステップとを備える。
【００１０】
オプションとして、前記端末が前記ＰＤＣＣＨ命令受信成功のフィードバック情報をＭＡＣ ＰＤＵ内のＭＡＣ制御エレメントまたはＢＳＲ ＭＡＣ制御エレメントを介して前記ネットワーク側装置に送信するステップは、
前記端末は、ネットワーク側装置からのＰＤＣＣＨ命令を受信した後、直近のアップリンク伝送または直近のＳＰＳ Ｏｃｃａｓｉｏｎにおいて、前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信する。
【００１１】
オプションとして、前記端末が前記ＰＤＣＣＨ命令受信成功のフィードバック情報をＭＡＣ ＰＤＵ内のＭＡＣ制御エレメントを介して前記ネットワーク側装置に送信するステップは、
前記端末は、前記ＰＤＣＣＨ命令受信成功のフィードバック情報を、新たなＭＡＣ制御エレメントを介して、前記ネットワーク側装置に送信し、
前記新たなＭＡＣ制御エレメントは、３ＧＰＰ ＴＳ ３６.３２１プロトコルに規定されたＭＡＣ制御エレメントと異なるＭＡＣ制御エレメントである。
【００１２】
オプションとして、前記新たなＭＡＣ制御エレメント長は、０ｂｉｔまたは８ｂｉｔである。
【００１３】
オプションとして、前記端末が、ネットワーク側装置からのＰＤＣＣＨ命令を受信した後、前記ＰＤＣＣＨ命令受信成功のフィードバック情報を、ＭＡＣ ＰＤＵ内のＭＡＣ制御エレメントを介して、前記ネットワーク側装置に送信する前、
前記端末は、新たな第１ＭＡＣサブヘッダー論理チャネル識別子値を、前記ＭＡＣ ＰＤＵに入れるステップをさらに備え、
前記新たな第１ＭＡＣサブヘッダー論理チャネル識別子値は、前記ＭＡＣ制御エレメントが新たなＭＡＣ制御エレメントであることを示すためのものである。
【００１４】
オプションとして、前記端末が前記ＰＤＣＣＨ命令受信成功のフィードバック情報をＭＡＣ ＰＤＵ内のＢＳＲ ＭＡＣ制御エレメントを介して前記ネットワーク側装置に送信するステップは、
前記端末は、前記ＰＤＣＣＨ命令受信成功のフィードバック情報を、新たなＢＳＲ ＭＡＣ制御エレメントを介して、前記ネットワーク側装置に送信し、
前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントである。
【００１５】
オプションとして、前記新たなＢＳＲ ＭＡＣ制御エレメントの構成は下記記載のうちの一部であるか全部である：ｌｏｎｇ ＢＳＲ、ｓｈｏｒｔ ＢＳＲ及びｔｒｕｎｃａｔｅｄ ＢＳＲ。
【００１６】
オプションとして、前記新たなＢＳＲ ＭＡＣ制御エレメントのＭＡＣ ＰＤＵには従来のＢＳＲ ＭＡＣ制御エレメントが有さなく、
前記従来のＢＳＲ ＭＡＣ制御エレメントは、３ＧＰＰ ＴＳ ３６.３２１プロトコルに規定されたＢＳＲ ＭＡＣ制御エレメントである。
【００１７】
オプションとして、前記端末は、ネットワーク側装置からのＰＤＣＣＨ命令を受信した後、前記ＰＤＣＣＨ命令受信成功のフィードバック情報を、ＭＡＣ ＰＤＵ内のＢＳＲ ＭＡＣ制御エレメントを介して、前記ネットワーク側装置に送信する前、
前記端末は、新たな第２ＭＡＣサブヘッダー論理チャネル識別子値を、前記ＭＡＣ ＰＤＵに入れるステップとを備え、
前記新たな第２ＭＡＣサブヘッダー論理チャネル識別子値は、前記ＢＳＲ ＭＡＣ制御エレメントが新たなＢＳＲ ＭＡＣ制御エレメントであることを示すためのものである。
【００１８】
本発明に係る実施例のフィードバックの受信方法は、
ネットワーク側装置は、端末にＰＤＣＣＨ命令を送信するステップと、
前記ネットワーク側装置は、前記端末からのＭＡＣ制御エレメントまたはＢＳＲ ＭＡＣ制御エレメントを受信した後、前記端末が前記ＰＤＣＣＨ命令受信成功のフィードバック情報をＭＡＣ ＰＤＵ内のＭＡＣ制御エレメントまたはＢＳＲ ＭＡＣ制御エレメントを介して送信すると確定した後、前記端末が前記ＰＤＣＣＨ命令を成功に受信したと確定する。
【００１９】
オプションとして、前記ネットワーク側装置が、前記端末が前記ＰＤＣＣＨ命令受信成功のフィードバック情報をＭＡＣ ＰＤＵ内のＭＡＣ制御エレメントを介して送信すると確定するステップは、
前記ネットワーク側装置は、前記端末が、前記ＰＤＣＣＨ命令受信成功のフィードバック情報を、新たなＭＡＣ制御エレメントを介して、前記ネットワーク側装置に送信すると確定し、
前記新たなＭＡＣ制御エレメントは、３ＧＰＰ ＴＳ ３６.３２１プロトコルに規定されたＭＡＣ制御エレメントと異なるＭＡＣ制御エレメントである。
【００２０】
オプションとして、前記ネットワーク側装置は、前記端末が前記ＰＤＣＣＨ命令受信成功のフィードバック情報をＭＡＣ ＰＤＵ内のＢＳＲ ＭＡＣ制御エレメントを介して送信すると確定するステップは、
前記ネットワーク側装置は、前記端末が、前記ＰＤＣＣＨ命令受信成功のフィードバック情報を、新たなＢＳＲ ＭＡＣ制御エレメントを介して、前記ネットワーク側装置に送信すると確定し、
前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントである。
【００２１】
本発明に係る実施例のフィードバックを送信する端末は、
ネットワーク側装置からのＰＤＣＣＨ命令を受信する第１受信モジュールと、
前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信する送信モジュールとを備える。
【００２２】
オプションとして、前記送信モジュールは、
ネットワーク側装置からのＰＤＣＣＨ命令を受信した後、直近のアップリンク伝送または直近のＳＰＳ Ｏｃｃａｓｉｏｎにおいて、前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信する。
【００２３】
オプションとして、前記送信モジュールは、
前記ＰＤＣＣＨ命令受信成功のフィードバック情報を、新たなＭＡＣ制御エレメントを介して、前記ネットワーク側装置に送信し、
前記新たなＭＡＣ制御エレメントは、３ＧＰＰ ＴＳ ３６.３２１プロトコルに規定されたＭＡＣ制御エレメントと異なるＭＡＣ制御エレメントである。
【００２４】
オプションとして、前記新たなＭＡＣ制御エレメント長は、０ｂｉｔまたは８ｂｉｔである。
【００２５】
オプションとして、前記送信モジュールは、
新たな第１ＭＡＣサブヘッダー論理チャネル識別子値を前記ＭＡＣ ＰＤＵに入れ、
前記新たな第１ＭＡＣサブヘッダー論理チャネル識別子値は、前記ＭＡＣ制御エレメントが新たなＭＡＣ制御エレメントであることを示すためのものである。
【００２６】
オプションとして、前記送信モジュールは、
前記ＰＤＣＣＨ命令受信成功のフィードバック情報を、新たなＢＳＲ ＭＡＣ制御エレメントを介して、前記ネットワーク側装置に送信し、
前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントである。
【００２７】
オプションとして、前記新たなＢＳＲ ＭＡＣ制御エレメントの構成はｌｏｎｇ ＢＳＲ、ｓｈｏｒｔ ＢＳＲ及びｔｒｕｎｃａｔｅｄ ＢＳＲのうちの一部であるか全部である。
【００２８】
オプションとして、前記新たなＢＳＲ ＭＡＣ制御エレメントのＭＡＣ ＰＤＵには従来のＢＳＲ ＭＡＣ制御エレメントが有さない、
前記従来のＢＳＲ ＭＡＣ制御エレメントは、３ＧＰＰ ＴＳ ３６.３２１プロトコルに規定されたＢＳＲ ＭＡＣ制御エレメントである。
【００２９】
オプションとして、前記送信モジュールは、
新たな第２ＭＡＣサブヘッダー論理チャネル識別子値を前記ＭＡＣ ＰＤＵに入れ、
前記新たな第２ＭＡＣサブヘッダー論理チャネル識別子値は、前記ＢＳＲ ＭＡＣ制御エレメントが新たなＢＳＲ ＭＡＣ制御エレメントであることを示すためのものである。
【００３０】
本発明に係る実施例により提供する他のフィードバックを送信する端末は、
メモリに格納されたプログラムを読み出すプロセッサと、
プロセッサの制御によりデータを送受信する送受信機とを備え、
前記プロセッサは、送受信機によりネットワーク側装置からのＰＤＣＣＨ命令を受信し、
送受信機により、前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信する。
【００３１】
オプションとして、前記プロセッサは、
ネットワーク側装置からのＰＤＣＣＨ命令を受信した後、直近のアップリンク伝送または直近のＳＰＳ Ｏｃｃａｓｉｏｎにおいて、前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信する。
【００３２】
オプションとして、前記プロセッサは、
前記ＰＤＣＣＨ命令受信成功のフィードバック情報を、新たなＭＡＣ制御エレメントを介して、前記ネットワーク側装置に送信し、
前記新たなＭＡＣ制御エレメントは、３ＧＰＰ ＴＳ ３６.３２１プロトコルに規定されたＭＡＣ制御エレメントと異なるＭＡＣ制御エレメントである。
【００３３】
オプションとして、前記新たなＭＡＣ制御エレメント長は、０ｂｉｔまたは８ｂｉｔである。
【００３４】
オプションとして、前記プロセッサは、
新たな第１ＭＡＣサブヘッダー論理チャネル識別子値を前記ＭＡＣ ＰＤＵに入れ、
ここで、前記新たな第１ＭＡＣサブヘッダー論理チャネル識別子値は、前記ＭＡＣ制御エレメントが新たなＭＡＣ制御エレメントであることを示すためのものである。
【００３５】
オプションとして、前記プロセッサは、
前記ＰＤＣＣＨ命令受信成功のフィードバック情報を、新たなＢＳＲ ＭＡＣ制御エレメントを介して、前記ネットワーク側装置に送信し、
前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントである。
【００３６】
オプションとして、前記新たなＢＳＲ ＭＡＣ制御エレメントの構成は下記記載のうちの一部であるか全部である
ｌｏｎｇ ＢＳＲ、ｓｈｏｒｔ ＢＳＲ及びｔｒｕｎｃａｔｅｄ ＢＳＲ。
【００３７】
オプションとして、前記新たなＢＳＲ ＭＡＣ制御エレメントのＭＡＣ ＰＤＵには従来のＢＳＲ ＭＡＣ制御エレメントが有さなく、
前記従来のＢＳＲ ＭＡＣ制御エレメントは、３ＧＰＰ ＴＳ ３６.３２１プロトコルに規定されたＢＳＲ ＭＡＣ制御エレメントである。
【００３８】
オプションとして、前記プロセッサは、
新たな第２ＭＡＣサブヘッダー論理チャネル識別子値を前記ＭＡＣ ＰＤＵに入れ、
前記新たな第２ＭＡＣサブヘッダー論理チャネル識別子値は、前記ＢＳＲ ＭＡＣ制御エレメントが新たなＢＳＲ ＭＡＣ制御エレメントであることを示すためのものである。
【００３９】
本発明に係る実施例が提供するフィードバックを受信するネットワーク側装置は、
端末にＰＤＣＣＨ命令を送信する第２送信モジュールと、
前記端末からのＭＡＣ制御エレメントまたはＢＳＲ ＭＡＣ制御エレメントを受信した後、前記端末が前記ＰＤＣＣＨ命令受信成功のフィードバック情報をＭＡＣ ＰＤＵ内のＭＡＣ制御エレメントまたはＢＳＲ ＭＡＣ制御エレメントを介して送信すると確定した後、前記端末が前記ＰＤＣＣＨ命令を成功に受信したと確定する処理モジュールとを備える。
【００４０】
オプションとして、前記処理モジュールは、
前記端末が前記ＰＤＣＣＨ命令受信成功のフィードバック情報を新たなＭＡＣ制御エレメントを介して前記ネットワーク側装置に送信すると確定し、
前記新たなＭＡＣ制御エレメントは、３ＧＰＰ ＴＳ ３６.３２１プロトコルに規定されたＭＡＣ制御エレメントと異なるＭＡＣ制御エレメントである。
【００４１】
オプションとして、前記処理モジュールは、
前記端末が前記ＰＤＣＣＨ命令受信成功のフィードバック情報を新たなＢＳＲ ＭＡＣ制御エレメントを介して前記ネットワーク側装置に送信すると確定し、
前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントである。
【００４２】
本発明に係る実施例により提供する他のフィードバックを受信するネットワーク側装置は、
メモリに格納されたプログラムを読み出すプロセッサと、
プロセッサの制御によりデータを送受信する送受信機とを備え、
前記プロセッサは、送受信により機端末にＰＤＣＣＨ命令を送信し、
送受信機により前記端末からのＭＡＣ制御エレメントまたはＢＳＲ ＭＡＣ制御エレメントを受信した後、前記端末が前記ＰＤＣＣＨ命令受信成功のフィードバック情報をＭＡＣ ＰＤＵ内のＭＡＣ制御エレメントまたはＢＳＲ ＭＡＣ制御エレメントを介して送信すると確定した後、前記端末が前記ＰＤＣＣＨ命令を成功に受信したと確定する。
【００４３】
オプションとして、前記プロセッサは、
前記端末が前記ＰＤＣＣＨ命令受信成功のフィードバック情報を新たなＭＡＣ制御エレメントを介して前記ネットワーク側装置に送信すると確定し、
前記新たなＭＡＣ制御エレメントは、３ＧＰＰ ＴＳ ３６.３２１プロトコルに規定されたＭＡＣ制御エレメントと異なるＭＡＣ制御エレメントである。
【００４４】
オプションとして、前記プロセッサは、
前記ＭＡＣ ＰＤＵ内の新たな第１ＭＡＣサブヘッダー論理チャネル識別子値に基づき、対応の前記ＭＡＣ制御エレメントを新たなＭＡＣ制御エレメントとして確定する。
【００４５】
オプションとして、前記プロセッサは、
前記端末が前記ＰＤＣＣＨ命令受信成功のフィードバック情報を新たなＢＳＲ ＭＡＣ制御エレメントを介して前記ネットワーク側装置に送信すると確定し、
前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントである。
【００４６】
オプションとして、前記プロセッサは、
前記ＭＡＣ ＰＤＵ内の新たな第２ＭＡＣサブヘッダー論理チャネル識別子値に基づき、対応の前記ＢＳＲ ＭＡＣ制御エレメントを新たなＢＳＲ ＭＡＣ制御エレメントとして確定する。
【発明の効果】
【００４７】
本発明に係る実施例端末はネットワーク側装置からのＰＤＣＣＨ命令を受信した後、前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信することにより、ネットワーク側装置にＰＤＣＣＨ命令受信成功を通知し、これにより、ｅＮｏｄｅＢがＰＤＣＣＨ命令を送信した後、ＵＥが成功に受信したか否かを判断することができ、システム性能をさらに向上することができる。
【図面の簡単な説明】
【００４８】
【図１】図１は本発明に係る実施例の１種のフィードバックの送信方法のフローチャートである。
【図２】図２は本発明に係る実施例の１種のフィードバックの受信方法フローチャートである。
【図３】図３は本発明に係る実施例の第１種のフィードバックを送信する端末の構成図である。
【図４】図４は本発明に係る実施例の第１種のフィードバックを受信するネットワーク側装置の構成図である。
【図５】図５は本発明に係る実施例の第２種のフィードバックを送信する端末の構成図である。
【図６】図６は本発明に係る実施例の第２種のフィードバックを受信するネットワーク側装置の構成図である。
【発明を実施するための形態】
【００４９】
本発明に係る実施例端末はネットワーク側装置からのＰＤＣＣＨ命令を受信した後、前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信することにより、ネットワーク側装置にＰＤＣＣＨ命令受信成功を通知し、これにより、ｅＮｏｄｅＢがＰＤＣＣＨ命令を送信した後、ＵＥが成功に受信したか否かを判断することができ、システム性能をさらに向上することができる。
【００５０】
スケジューリングの場合、ＰＤＣＣＨに搭載されたのはグラント（ｇｒａｎｔ）であり、ＳＰＳ アクティブ化/ディアクティブ化の場合、ＰＤＣＣＨに搭載されたのは命令（ｏｒｄｅｒ）である。本発明に係る実施例のＰＤＣＣＨ命令は、ＰＤＣＣＨグラントにも適合する。実施中、ＵＥがＰＤＣＣＨ命令に対するフィードバックは、下記の一部または全部を含む。
【００５１】
*  アップリンクＳＰＳアクティブ化命令を受信する。
【００５２】
*  アップリンクＳＰＳディアクティブ化（または消去と称される）命令を受信する；
*  アップリンク動的なスケジューリンググラントを受信する。
【００５３】
以下、図面を参照して、本発明に係る実施例をさらに詳しく説明する。
【００５４】
図１に示すように、本発明に係る実施例が提供するフィードバックの送信方法はステップ１００と、ステップ１０１とを備える。
【００５５】
ステップ１００において、端末は、ネットワーク側装置からのＰＤＣＣＨ命令を受信する。
【００５６】
ステップ１０１において、前記端末は、前記ＰＤＣＣＨ命令受信成功のフィードバック情報を、メディアアクセス制御プロトコルデータユニット（Ｍｅｄｉｕｍ Ａｃｃｅｓｓ Ｃｏｎｔｒｏｌ Ｐａｃｋｅｔ Ｄａｔａ ｕｎｉｔ、ＭＡＣ ＰＤＵ）内のＭＡＣ制御エレメントまたはＢＳＲ ＭＡＣ制御エレメントを介して、前記ネットワーク側装置に送信する。
【００５７】
オプションとして、前記端末は、ネットワーク側装置からのＰＤＣＣＨ命令を受信した後、直近のアップリンク伝送または直近のＳＰＳリソース時刻（ＳＰＳ Ｏｃｃａｓｉｏｎ）前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信する。
【００５８】
これに応じて、ネットワーク側装置は、ＭＡＣ ＰＤＵ内のＭＡＣ制御エレメントまたはＢＳＲ ＭＡＣ制御エレメントを介して、ＰＤＣＣＨ命令がＵＥにおいて成功に受信できたことを把握できる。
【００５９】
具体的に、ＭＡＣ制御エレメントを選択するかＢＳＲ ＭＡＣ制御エレメントを選択するかは、ニーズに応じることができ、または、プロトコルにより決められ、または高位層より通知されるなどの方式により確定することができる。
【００６０】
以下、それぞれ説明する。
【００６１】
<方式１>  ＭＡＣ ＰＤＵ内のＭＡＣ制御エレメントを介して送信する。
【００６２】
オプションとして、前記端末は、前記ＰＤＣＣＨ命令受信成功のフィードバック情報を、新たなＭＡＣ制御エレメントを介して、前記ネットワーク側装置に送信する。
【００６３】
ここで、前記新たなＭＡＣ制御エレメントは、３ＧＰＰ（３ｒｄ Ｇｅｎｅｒａｔｉｏｎ Ｐａｒｔｎｅｒｓｈｉｐ Ｐｒｏｊｅｃｔ、３ＧＰＰ）技術基準（ＴＳ）３６.３２１プロトコルに規定されたＭＡＣ制御エレメントと異なるＭＡＣ制御エレメントである。
【００６４】
オプションとして、新たなＭＡＣ制御エレメント長は、０ｂｉｔまたは８ｂｉｔである。
【００６５】
一般的に、０ｂｉｔフォーマットを用いる。ある情報（例えばＰＨＲ（Ｐｏｗｅｒ Ｈｅａｄｒｏｏｍ Ｒｅｐｏｒｔ）等）を搭載する必要があれば、８ｂｉｔフォーマットを選択してもよい。０ｂｉｔは、ＭＡＣ制御エレメントがアイドル状態であることを示し、情報が搭載されていない。ネットワーク側装置は、ＭＡＣサブヘッダーにおける対応お論理チャネル識別子により、これがフィードバック情報であることを把握でき、８ｂｉｔフォーマットの場合情報を搭載することができ、例えばＰＨＲ等。
【００６６】
説明すべきのは、新たなＭＡＣ制御エレメント長は、上記２種の長さに限られず、他の長さも同様に本発明に係る実施例に適合する。
【００６７】
オプションとして、新たなＭＡＣ制御エレメントの場合、本発明に係る実施例には、ＭＡＣサブヘッダー論理チャネル識別子を拡張した。
【００６８】
具体的に、前記端末は、ネットワーク側装置からのＰＤＣＣＨ命令を受信した後、前記ＰＤＣＣＨ命令受信成功のフィードバック情報を、ＭＡＣ ＰＤＵ内のＢＳＲ ＭＡＣ制御エレメントを介して、前記ネットワーク側装置に送信する前、新たな第１ＭＡＣサブヘッダー論理チャネル識別子値を前記ＭＡＣ ＰＤＵに入れ、
ここで、前記新たな第１ＭＡＣサブヘッダー論理チャネル識別子値は、前記ＭＡＣ制御エレメントが新たなＭＡＣ制御エレメントであることを示すためのものである。
【００６９】
新たなメディアアクセス層制御ユニット（ＭＡＣ Ｃｏｎｔｒｏｌ Ｅｌｅｍｅｎｔ、ＭＡＣ ＣＥ）が導入されるため、従来のアップリンク共有チャネル論理チャネル識別子（３ＧＰＰ ＴＳ３６.３２１、表６.２.１-２アップリンク共有チャネル論理チャネル識別子値（ＶａｌＵＥｓ ｏｆ ＬＣＩＤ ｆｏｒ ＵＬ−ＳＣＨ））を拡張する必要がある。表１のように、従来の論理チャネル識別子に５ｂｉｔフィールド（論理チャネルＩＤ（Ｌｏｇｉｃａｌ Ｃｈａｎｎｅｌ ＩＤ、ＬＣＩＤ）は０００００から１１１１１まで）が用いられ、利用できる保留値が大量である（０１１００ないし０１０１）。
【００７０】
「表１」アップリンク共有チャネルの論理チャネル識別子値
2018533325.tif 000003
【００７１】
実施例中、保留値から任意の一を選択することができ、例えば（０１１００）、新たに導入されたＭＡＣ ＣＥを示すことができればよい。
【００７２】
上記の内容に基づき、ＵＥは、ＰＤＣＣＨからのアップリンク命令を受信した後、アップリンク共有チャネル（ＵＬ−ＳＣＨ）において、新ＭＡＣ ＣＥおよびＭＡＣサブヘッダーに対応するデータＰＤＵまたはパディングＰＤＵを送信して、ＰＤＣＣＨ命令に対するフィードバックとすることができる。
【００７３】
<方式２>  ＭＡＣ ＰＤＵ内のＢＳＲ ＭＡＣ制御エレメントを介して送信する。
【００７４】
オプションとして、前記端末は、前記ＰＤＣＣＨ命令受信成功のフィードバック情報を、新たなＢＳＲ ＭＡＣ制御エレメントを介して、前記ネットワーク側装置に送信する。
【００７５】
ここで、前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントである。
【００７６】
実施中、前記新たなＢＳＲ ＭＡＣ制御エレメントの構成は下記記載のうちの一部であるか全部である
ｌｏｎｇ ＢＳＲ、ｓｈｏｒｔ ＢＳＲ及びｔｒｕｎｃａｔｅｄ ＢＳＲ。
【００７７】
オプションとして、前記新たなＢＳＲ ＭＡＣ制御エレメントのＭＡＣ ＰＤＵには従来のＢＳＲ ＭＡＣ制御エレメントが有さない。ここで、前記従来のＢＳＲ ＭＡＣ制御エレメントは、３ＧＰＰ ＴＳ ３６.３２１プロトコルに規定されたＢＳＲ ＭＡＣ制御エレメントである。
【００７８】
オプションとして、新たなＭＡＣ制御エレメントの場合、本発明に係る実施例には、ＭＡＣサブヘッダー論理チャネル識別子を拡張した。
【００７９】
具体的に、前記端末は、ネットワーク側装置からのＰＤＣＣＨ命令を受信した後、前記ＰＤＣＣＨ命令受信成功のフィードバック情報を、ＭＡＣ ＰＤＵ内のＢＳＲ ＭＡＣ制御エレメントを介して、前記ネットワーク側装置に送信する前、新たな第２ＭＡＣサブヘッダー論理チャネル識別子値を前記ＭＡＣ ＰＤＵに入れる。
【００８０】
ここで、前記新たな第２ＭＡＣサブヘッダー論理チャネル識別子値は、前記ＢＳＲ ＭＡＣ制御エレメントが新たなＢＳＲ ＭＡＣ制御エレメントであることを示すためのものである。
【００８１】
新たなＭＡＣ ＣＥを導入したため、従来のアップリンク共有チャネル論理チャネル識別子（３ＧＰＰ ＴＳ３６.３２１、表６.２.１-２ ＶａｌＵＥｓ ｏｆ ＬＣＩＤ ｆｏｒ ＵＬ−ＳＣＨ）を拡張する必要がある。表１のように、従来の論理チャネル識別子に５ｂｉｔフィールド（ＬＣＩＤは０００００から１１１１１まで）が用いられ、利用できる保留値が大量である（０１１００到１０１０１）。
【００８２】
ここで、１つの（または複数）ＡＣＫ ＢＳＲを追加して、ＵＥがＰＤＣＣＨ命令に対してフィードバックを送信する際に用いられるＬＣＩＤとし、ＢＳＲに対応するＭＡＣ ＣＥフォーマットそれぞれは、ｓｈｏｒｔ ＢＳＲまたはｌｏｎｇ ＢＳＲまたはｔｒｕｎｃａｔｅｄ ＢＳＲであることができ、依然としてＢＳＲ ＭＡＣ ＣＥフォーマットを用いて、変わる必要がない。例えば上記の表において、ＡＣＫ ＢＳＲのＬＣＩＤは０１１００である。
【００８３】
上記の内容に基づき、ＵＥは、ＰＤＣＣＨからのアップリンク命令を受信した後、アップリンク共有チャネル（ＵＬ−ＳＣＨ）において、データＰＤＵまたはパディングＰＤＵを送信して、ＰＤＣＣＨ命令（またはグラント）に対するフィードバックとすることができる。
【００８４】
ここで、データＰＤＵにはＡＣＫ ＢＳＲ ＭＡＣ ＣＥが搭載される。
【００８５】
図２に示すように、本発明に係る実施例が提供するフィードバックの受信方法は、ステップ２００と、ステップ２０１とを備える。
【００８６】
ステップ２００において、ネットワーク側装置は、端末にＰＤＣＣＨ命令を送信する。
【００８７】
ステップ２０１において、前記ネットワーク側装置は、前記端末からのＭＡＣ制御エレメントまたはＢＳＲ ＭＡＣ制御エレメントを受信した後、前記端末が前記ＰＤＣＣＨ命令受信成功のフィードバック情報をＭＡＣ ＰＤＵ内のＭＡＣ制御エレメントまたはＢＳＲ ＭＡＣ制御エレメントを介して送信すると確定した後、前記端末が前記ＰＤＣＣＨ命令を成功に受信したと確定する。
【００８８】
オプションとして、前記端末は、ネットワーク側装置からのＰＤＣＣＨ命令を受信した後、直近のアップリンク伝送または直近のＳＰＳ Ｏｃｃａｓｉｏｎにおいて、前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信する。
【００８９】
これに応じて、ネットワーク側装置は、ＭＡＣ ＰＤＵ内のＭＡＣ制御エレメントまたはＢＳＲ ＭＡＣ制御エレメントを介して、ＰＤＣＣＨ命令がＵＥにおいて成功に受信できたことを把握できる。
【００９０】
具体的に、ＭＡＣ制御エレメントを選択するかＢＳＲ ＭＡＣ制御エレメントを選択するかは、ニーズに応じることができ、または、プロトコルにより決められ、または高位層より通知されるなどの方式により確定することができる。
【００９１】
以下それぞれを説明する。
【００９２】
<方式１>ＭＡＣ ＰＤＵ内のＭＡＣ制御エレメントを介して送信する。
【００９３】
オプションとして、前記ネットワーク側装置が、前記端末が前記ＰＤＣＣＨ命令受信成功のフィードバック情報をＭＡＣ ＰＤＵ内のＭＡＣ制御エレメントを介して送信すると確定するステップは、前記ネットワーク側装置は、前記端末が、前記ＰＤＣＣＨ命令受信成功のフィードバック情報を、新たなＭＡＣ制御エレメントを介して、前記ネットワーク側装置に送信すると確定する。
【００９４】
ここで、前記新たなＭＡＣ制御エレメントは、３ＧＰＰ ＴＳ ３６.３２１プロトコルに規定されたＭＡＣ制御エレメントと異なるＭＡＣ制御エレメントである。
【００９５】
オプションとして、新たなＭＡＣ制御エレメント長は、０ｂｉｔまたは８ｂｉｔである。
【００９６】
一般的に、０ｂｉｔフォーマットを用いる。ある情報（例えばＰＨＲ等）を搭載する必要があれば、８ｂｉｔフォーマットを選択する必要がある。０ｂｉｔは、ＭＡＣ制御エレメントがアイドル状態であることを示し、情報が搭載されていない。ネットワーク側装置は、ＭＡＣサブヘッダーにおける対応お論理チャネル識別子により、これがフィードバック情報であることを把握でき、８ｂｉｔフォーマットの場合情報を搭載することができ、例えばＰＨＲ等。
【００９７】
説明すべきのは、新たなＭＡＣ制御エレメント長は、上記２種の長さに限られず、他の長さも同様に本発明に係る実施例に適合する。
【００９８】
オプションとして、新たなＭＡＣ制御エレメントの場合、本発明に係る実施例には、ＭＡＣサブヘッダー論理チャネル識別子を拡張した。
【００９９】
具体的に、前記端末は、ネットワーク側装置からのＰＤＣＣＨ命令を受信した後、前記ＰＤＣＣＨ命令受信成功のフィードバック情報を、ＭＡＣ ＰＤＵ内のＢＳＲ ＭＡＣ制御エレメントを介して、前記ネットワーク側装置に送信する前、新たな第１ＭＡＣサブヘッダー論理チャネル識別子値を前記ＭＡＣ ＰＤＵに入れ、ここで、前記新たな第１ＭＡＣサブヘッダー論理チャネル識別子値は、前記ＭＡＣ制御エレメントが新たなＭＡＣ制御エレメントであることを示すためのものである。
【０１００】
新たなＭＡＣ ＣＥを導入したため、従来のアップリンク共有チャネル論理チャネル識別子（３ＧＰＰ ＴＳ３６.３２１、表６.２.１-２ ＶａｌＵＥｓ ｏｆ ＬＣＩＤ ｆｏｒ ＵＬ−ＳＣＨ）を拡張する必要がある。表１のように、従来の論理チャネル識別子は、５ｂｉｔフィールド（ＬＣＩＤは０００００から１１１１１まで）を用い、大量の保留値が利用可能である（０１１００ないし１０１０１）。
【０１０１】
実施中、保留値から任意の一を選択することができ、例えば（０１１００）、新たに導入されたＭＡＣ ＣＥを示すことができればよい。
【０１０２】
<方式２>ＭＡＣ ＰＤＵ内のＢＳＲ ＭＡＣ制御エレメントを介して送信する。
【０１０３】
オプションとして、前記ネットワーク側装置は、前記端末が前記ＰＤＣＣＨ命令受信成功のフィードバック情報をＭＡＣ ＰＤＵ内のＢＳＲ ＭＡＣ制御エレメントを介して送信すると確定するステップは、前記ネットワーク側装置は、前記端末が、前記ＰＤＣＣＨ命令受信成功のフィードバック情報を、新たなＢＳＲ ＭＡＣ制御エレメントを介して、前記ネットワーク側装置に送信すると確定する。ここで、前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントである。
【０１０４】
実施中、前記新たなＢＳＲ ＭＡＣ制御エレメントの構成は、ｌｏｎｇ ＢＳＲ、ｓｈｏｒｔ ＢＳＲ及びｔｒｕｎｃａｔｅｄ ＢＳＲのうちの一部であるか全部である。
【０１０５】
オプションとして、前記新たなＢＳＲ ＭＡＣ制御エレメントのＭＡＣ ＰＤＵには従来のＢＳＲ ＭＡＣ制御エレメントが有さない。ここで、前記従来のＢＳＲ ＭＡＣ制御エレメントは、３ＧＰＰ ＴＳ ３６.３２１プロトコルに規定されたＢＳＲ ＭＡＣ制御エレメントである。
【０１０６】
オプションとして、新たなＭＡＣ制御エレメントの場合、本発明に係る実施例には、ＭＡＣサブヘッダー論理チャネル識別子を拡張した。
【０１０７】
具体的に、前記端末は、ネットワーク側装置からのＰＤＣＣＨ命令を受信した後、前記ＰＤＣＣＨ命令受信成功のフィードバック情報を、ＭＡＣ ＰＤＵ内のＢＳＲ ＭＡＣ制御エレメントを介して、前記ネットワーク側装置に送信する前、新たな第２ＭＡＣサブヘッダー論理チャネル識別子値を前記ＭＡＣ ＰＤＵに入れ；ここで、前記新たな第２ＭＡＣサブヘッダー論理チャネル識別子値は、前記ＢＳＲ ＭＡＣ制御エレメントが新たなＢＳＲ ＭＡＣ制御エレメントであることを示すためのものである。
【０１０８】
新たなＭＡＣ ＣＥを導入したため、従来のアップリンク共有チャネル論理チャネル識別子（３ＧＰＰ ＴＳ３６.３２１、表６.２.１-２ ＶａｌＵＥｓ ｏｆ ＬＣＩＤ ｆｏｒ ＵＬ−ＳＣＨ）を拡張する必要がある。表１のように、従来の論理チャネル識別子は、５ｂｉｔフィールド（ＬＣＩＤは０００００から１１１１１まで）を用い、利用できる保留値が大量である（０１１００ないし１０１０１）。
【０１０９】
ここで、１つの（または複数）ＡＣＫ ＢＳＲを追加して、ＵＥがＰＤＣＣＨ命令に対してフィードバックを送信する際に用いられるＬＣＩＤとし、ＢＳＲに対応するＭＡＣ ＣＥフォーマットそれぞれは、ｓｈｏｒｔ ＢＳＲまたはｌｏｎｇ ＢＳＲまたはｔｒｕｎｃａｔｅｄ ＢＳＲであることができ、依然としてＢＳＲ ＭＡＣ ＣＥフォーマットを用いて、変わる必要がない。例えば、上記の表において、ＡＣＫ ＢＳＲのＬＣＩＤは０１１００である。
【０１１０】
ここで、本発明に係る実施例のネットワーク側装置は、基地局（例えばマクロ基地局（進化型基地局が含まれる）、ホーム基地局等）であることができ、ＲＮ（中継）装置であることもでき、他のネットワーク側装置であることもできる。
【０１１１】
以下例をあげながら本発明の技術案を説明する。
【０１１２】
<実例１> ＳＰＳをアクティブ化し、ＵはＥＡＣＫ ＭＡＣ ＣＥをフィードバックする
ステップ１において、ｅＮｏｄｅＢは、ＰＤＣＣＨを介してＵＥにＳＰＳアクティブ化命令を発送する。
【０１１３】
ステップ２において、その後のいくつかの状況及び対応のＵＥ行為は以下とおりである。
【０１１４】
ａ)   ＵＥはＰＤＣＣＨ命令を成功に受信し、ＵＥのバッファにデータが有する。ＵＥは、つぎのＳＰＳ時刻においてデータを送信するともに、ＭＡＣ ＰＤＵにＡＣＫ ＭＡＣ ＣＥが搭載されている。ＡＣＫ ＭＡＣ ＣＥに対応するＭＡＣサブヘッダーにおいて、ＬＣＩＤは０１１００で充填される。
【０１１５】
ここで、ＡＣＫ ＭＡＣ ＣＥのサイズは一般的に０ｂｉｔである（ＡＣＫ ＭＡＣ ＣＥサイズが０ｂｉｔではなければ、ＡＣＫ ＭＡＣ ＣＥにＰＨＲまたはＢＳＲ等の関連情報が搭載されることができる）。
【０１１６】
ｂ)   ＵＥはＰＤＣＣＨ命令を成功に受信し、ＵＥのバッファにデータが有さない。ＵＥは、適切なアップリンク時刻でパディングデータを送信し、かつ、ＡＣＫ ＭＡＣ ＣＥを搭載する。ＡＣＫ ＭＡＣ ＣＥに対応するＭＡＣサブヘッダーにおいて、ＬＣＩＤは０１１００で充填される。
【０１１７】
ここで、適切なアップリンク時刻は、つぎのＳＰＳ時刻、または、直近のアップリンクデータ伝送時刻であることができる。
【０１１８】
ＡＣＫ ＭＡＣ ＣＥのサイズは一般的に０ｂｉｔである（ＡＣＫ ＭＡＣ ＣＥサイズが０ｂｉｔではなければ、ＡＣＫ ＭＡＣ ＣＥにＰＨＲまたはＢＳＲ等の関連情報が搭載されることができる）。
【０１１９】
ｃ)   ＵＥは、ＰＤＣＣＨ命令の受信が失敗し、ＵＥのバッファにデータが有する。ＵＥの現在動作に基づき、ＵＥは、直近のPUCCH時刻で専用のスケジューリング要求（Ｄｅｄｉｃａｔｅｄ Ｓｃｈｅｄｕｌｉｎｇ ＲｅｑＵＥｓｔ、Ｄ−ＳＲ）を送信し、アップリンクスケジューリンググラントを要求する。
【０１２０】
ｄ)   ＵＥは、ＰＤＣＣＨ命令の受信が失敗し、ＵＥのバッファにデータが有さない。ＵＥは、動作しない。
【０１２１】
ステップ３において、上記の各状況中のＵＥ動作に基づき、ｅＮｏｄｅＢ（進化型基地局）は、ＵＥがＰＤＣＣＨアクティブ化命令を成功に受信したかどうかを判断できる。
【０１２２】
ｅＮｏｄｅＢがＵＥからのアップリンクフィードバック（ＡＣＫ ＭＡＣ ＣＥ）を受信すれば、ＵＥは、ＰＤＣＣＨ命令をすでに成功に成功し、その後のｅＮｏｄｅＢは、ＵＥのアップリンクデータを待たされればよい。
【０１２３】
ｅＮｏｄｅＢがＵＥからのアップリンクフィードバック（ＡＣＫ ＭＡＣ ＣＥを搭載するＭＡＣ ＰＤＵ）を受信していなければ、ＵＥは、ＰＤＣＣＨ命令の受信が失敗し、ｅＮｏｄｅＢは、対応のダウンリンク時刻でＰＤＣＣＨアクティブ化命令を再送し、ＰＤＣＣＨ命令受信成功まで、ステップ２を重複する。
【０１２４】
<実例２>  ＳＰＳをディアクティブ化し、ＵＥがＡＣＫ ＭＡＣ ＣＥをフィードバックする
ステップ１において、ｅＮｏｄｅＢは、ＰＤＣＣＨを介してＵＥにＳＰＳディアクティブ化命令を発送する。
【０１２５】
ステップ２において、その後のいくつかの状況及び対応のＵＥ行為は以下とおりである。
【０１２６】
ａ)   ＵＥはＰＤＣＣＨ命令を成功に受信し、ＵＥのバッファにデータが有する。ＵＥは、ＳＰＳリソース消去をつぎのＳＰＳ時刻までに延ばし、つぎのＳＰＳ時刻でデータを送信し、同時にＭＡＣ ＰＤＵにＡＣＫ ＭＡＣ ＣＥを搭載させる。ＡＣＫ ＭＡＣ ＣＥに対応するＭＡＣサブヘッダーにおいて、ＬＣＩＤは０１１００で充填される。
【０１２７】
ここで、ＡＣＫ ＭＡＣ ＣＥのサイズは一般的に０ｂｉｔである（ＡＣＫ ＭＡＣ ＣＥサイズが０ｂｉｔではなければ、ＡＣＫ ＭＡＣ ＣＥにＰＨＲまたはＢＳＲ等の関連情報が搭載されることができる）。
【０１２８】
ｂ)   ＵＥはＰＤＣＣＨ命令を成功に受信し、ＵＥのバッファにデータが有さない。ＵＥは、ＳＰＳリソース消去をつぎのＳＰＳ時刻までに延ばし、適切なアップリンク時刻でパディングデータを送信する。パディングデータにＡＣＫ ＭＡＣ ＣＥが搭載されている。当該ＭＡＣ ＣＥに対応するＭＡＣサブヘッダーにおいて、ＬＣＩＤは０１１００で充填される。
【０１２９】
ここで、適切なアップリンク時刻は、つぎのＳＰＳ時刻、または、直近のアップリンクデータ伝送時刻であることができる。
【０１３０】
ＡＣＫ ＭＡＣ ＣＥのサイズは一般的に０ｂｉｔである（ＡＣＫ ＭＡＣ ＣＥサイズが０ｂｉｔではなければ、ＡＣＫ ＭＡＣ ＣＥにＰＨＲまたはＢＳＲ等の関連情報が搭載されることができる）。
【０１３１】
ｃ)   ＵＥは、ＰＤＣＣＨ命令の受信が失敗し、ＵＥのバッファにデータが有する。ＵＥの現在動作に基づき、ＵＥは、つぎのＳＰＳリソースにおいてデータを送信し、ＭＡＣ ＰＤＵにはＡＣＫ ＭＡＣ ＣＥが搭載されていない。
【０１３２】
Ｄ)   ＵＥは、ＰＤＣＣＨ命令の受信が失敗し、ＵＥのバッファにデータが有さない。ＵＥは、アップリンク伝送を飛ばし、つぎの利用可能のＳＰＳリソースにデータ伝送がない。
【０１３３】
ステップ３において、上記各々状況のＵＥ動作に基づき、ｅＮｏｄｅＢは、ＵＥがＰＤＣＣＨ消去命令を成功に受信したか否かを判断することができる。
【０１３４】
ｅＮｏｄｅＢがＵＥからのアップリンクフィードバック（ＡＣＫ ＭＡＣ ＣＥ）を受信すれば、ＵＥがすでにＰＤＣＣＨ命令を成功に受信したと判断できる。ｅＮｏｄｅＢはＳＰＳリソースを消去する。
【０１３５】
ｅＮｏｄｅＢがＵＥからのアップリンクフィードバック（ＡＣＫ ＭＡＣ ＣＥを搭載するＭＡＣ ＰＤＵ）を受信していなければ、ＵＥが、ＰＤＣＣＨ命令の受信が失敗したと判断する。ｅＮｏｄｅＢは、対応のダウンリンク時刻でＰＤＣＣＨ消去命令を再送し、ＰＤＣＣＨ命令受信成功まで、ステップ２を重複する。
【０１３６】
<実例３>  ＳＰＳをアクティブ化し、ＵＥはＡＣＫ ＢＳＲ ＭＡＣ ＣＥでフィードバックを送信する
ステップ１において、ｅＮｏｄｅＢは、ＰＤＣＣＨを介してＵＥにＳＰＳアクティブ化命令を発送する。
【０１３７】
ステップ２において、その後のいくつかの状況及び対応のＵＥ行為は以下とおりである
ａ)   ＵＥはＰＤＣＣＨ命令を成功に受信する、ＵＥのバッファにデータが有する。：ＵＥは、つぎのＳＰＳ時刻においてデータを送信し、同時に、ＭＡＣ ＰＤＵにＡＣＫ ＢＳＲ ＭＡＣ ＣＥを搭載させ、ＭＡＣサブヘッダーに対応のＬＣＩＤを充填する。
【０１３８】
ここで、ＡＣＫ ＢＳＲ ＭＡＣ ＣＥの構造は、現在ｌｏｎｇ（長）ＢＳＲ/ｓｈｏｒｔ（短） ＢＳＲ/ｔｒｕｎｃａｔｅｄ（短縮）ＢＳＲのうちの１つまたは複数を利用してフォーマットすることができる。
【０１３９】
ＡＣＫ ＢＳＲ ＭＡＣ ＣＥが搭載される場合、ＭＡＣ ＰＤＵには従来のＢＳＲ ＭＡＣ ＣＥがもう含まらない。
【０１４０】
b)    ＵＥはＰＤＣＣＨ命令を成功に受信し、ＵＥのバッファにデータが有さない。ＵＥは、適切なアップリンク時刻でパディングデータを送信し、パディングデータにＡＣＫ ＢＳＲ ＭＡＣ ＣＥを搭載させる。
【０１４１】
ここで、適切なアップリンク時刻は、つぎのＳＰＳ時刻、または、直近のアップリンクデータ伝送時刻であることができる。
【０１４２】
ＡＣＫ ＢＳＲ ＭＡＣ ＣＥ構造は、現在ｌｏｎｇ ＢＳＲ/ｓｈｏｒｔ ＢＳＲ/ｔｒｕｎｃａｔｅｄ ＢＳＲのうちの１つまたは複数を用いてフォーマットすることができる。
【０１４３】
ＡＣＫ ＢＳＲ ＭＡＣ ＣＥが搭載される場合、ＭＡＣ ＰＤＵには従来のＢＳＲ ＭＡＣ ＣＥがもう含まらない。
【０１４４】
ｃ)   ＵＥは、ＰＤＣＣＨ命令の受信が失敗し、ＵＥのバッファにデータが有する。ＵＥの現在動作に基づき、ＵＥは、直近のPUCCH時刻でＤ−ＳＲを送信し、アップリンクスケジューリンググラントを要求する。
【０１４５】
Ｄ)   ＵＥは、ＰＤＣＣＨ命令の受信が失敗し、ＵＥのバッファにデータが有さない。ＵＥは、動作しない。
【０１４６】
ステップ３において、上記各々状況のＵＥ動作に基づき、ｅＮｏｄｅＢは、ＵＥがＰＤＣＣＨアクティブ化命令を成功に受信したか否かを判断することができる。
【０１４７】
ｅＮｏｄｅＢがＵＥからのアップリンクフィードバック（ＡＣＫ ＢＳＲ ＭＡＣ ＣＥ）を受信すれば、ＵＥがすでにＰＤＣＣＨ命令を成功に受信したと判断でき、その後のｅＮｏｄｅＢがＵＥアップリンクデータを待たさればよい。
【０１４８】
ｅＮｏｄｅＢがＵＥからのアップリンクフィードバック（ＡＣＫ ＢＳＲ ＭＡＣ ＣＥを搭載するＭＡＣ ＰＤＵ）を受信していなければ、ＵＥがＰＤＣＣＨ命令の受信が失敗したと判断する。ｅＮｏｄｅＢは、対応のダウンリンク時刻でＰＤＣＣＨアクティブ化命令を再送し、ＰＤＣＣＨ命令受信成功まで、ステップ２を重複する。
【０１４９】
<実例４>  ＳＰＳをディアクティブ化し、ＵＥはＡＣＫ ＢＳＲ ＭＡＣ ＣＥでフィードバックを送信する
ステップ１において、ｅＮｏｄｅＢは、ＰＤＣＣＨを介してＵＥにＳＰＳディアクティブ化命令を発送する。
【０１５０】
ステップ２において、その後のいくつかの状況及び対応のＵＥの動作は以下とおりである
ａ)   ＵＥはＰＤＣＣＨ命令を成功に受信する、ＵＥのバッファにデータが有する。ＵＥは、ＳＰＳリソース消去をつぎのＳＰＳ時刻までに延ばし、つぎのＳＰＳ時刻でデータを送信し、同時に、ＭＡＣ ＰＤＵにＡＣＫ ＢＳＲ ＭＡＣ ＣＥを搭載させ、ＭＡＣサブヘッダーに対応のＬＣＩＤを充填する。
【０１５１】
ここで、ＡＣＫ ＢＳＲ ＭＡＣ ＣＥ構造は、現在ｌｏｎｇ ＢＳＲ/ｓｈｏｒｔ ＢＳＲ/ｔｒｕｎｃａｔｅｄ ＢＳＲのうちの１つまたは複数を用いてフォーマットすることができる。
【０１５２】
ＡＣＫ ＢＳＲ ＭＡＣ ＣＥが搭載される場合、ＭＡＣ ＰＤＵには従来のＢＳＲ ＭＡＣ ＣＥがもう含まらない。
【０１５３】
ｂ)   ＵＥはＰＤＣＣＨ命令を成功に受信する、ＵＥのバッファにデータが有さない。ＵＥは、ＳＰＳリソース消去をつぎのＳＰＳ時刻までに延ばし、適切なアップリンク時刻でパディングデータを送信し、パディングデータにＡＣＫ ＢＳＲ ＭＡＣ ＣＥを搭載させる。
【０１５４】
ここで、適切なアップリンク時刻は、つぎのＳＰＳ時刻、または、直近のアップリンクデータ伝送時刻であることができる。
【０１５５】
ＡＣＫ ＢＳＲ ＭＡＣ ＣＥ構造は、現在ｌｏｎｇ ＢＳＲ/ｓｈｏｒｔ ＢＳＲ/ｔｒｕｎｃａｔｅｄ ＢＳＲのうちの１つまたは複数を用いてフォーマットすることができる。
【０１５６】
ＡＣＫ ＢＳＲ ＭＡＣ ＣＥが搭載される場合、ＭＡＣ ＰＤＵには従来のＢＳＲ ＭＡＣ ＣＥがもう含まらない。
【０１５７】
ｃ)   ＵＥは、ＰＤＣＣＨ命令の受信が失敗し、ＵＥのバッファにデータが有する。ＵＥの現在動作に基づき、ＵＥはつぎのＳＰＳ時刻でデータを送信する。
【０１５８】
ｄ)   ＵＥがＰＤＣＣＨＳＰＳリソースにおいて命令を受信することが失敗し、ＵＥのバッファにデータが有さない。ＵＥは、アップリンク伝送を飛ばし、つぎの利用可能のＳＰＳリソースにデータ伝送がない。
【０１５９】
ステップ３において、上記各々状況のＵＥ動作に基づき、ｅＮｏｄｅＢは、ＵＥがＰＤＣＣＨ消去命令を成功に受信したか否かを判断することができる。
【０１６０】
ｅＮｏｄｅＢがＵＥからのアップリンクフィードバック（ＡＣＫ ＢＳＲ ＭＡＣ ＣＥ）を受信すれば、ＵＥがすでにＰＤＣＣＨ命令を成功に受信したと判断でき、ｅＮｏｄｅＢはＳＰＳリソースを消去する。
【０１６１】
ｅＮｏｄｅＢがＵＥからのアップリンクフィードバック（ＡＣＫ ＢＳＲ ＭＡＣ ＣＥを搭載するＭＡＣ ＰＤＵ）を受信していなげれば、ＵＥがＰＤＣＣＨ命令の受信が失敗したと判断できる。ｅＮｏｄｅＢは、対応のダウンリンク時刻でＰＤＣＣＨ消去命令を再送し、ＰＤＣＣＨ命令受信成功まで、ステップ２を重複する。
【０１６２】
同様な発明思想に基づき、本発明に係る実施は端末を提供する。端末の問題解決原理が本発明に係る実施例の図１に示すフィードバックの送信方法と類似するため、当該端末の実施は方法の実施を参照すればよく、繰り返して説明しない。
【０１６３】
図３に示すように、本発明に係る実施例の第１週のフィードバックを送信する端末は、ネットワーク側装置からのＰＤＣＣＨ命令を受信する第１受信モジュール３００と、前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信する送信モジュール３０１とを備える。
【０１６４】
オプションとして、前記送信モジュール３０１は、ネットワーク側装置からのＰＤＣＣＨ命令を受信した後、直近のアップリンク伝送または直近のＳＰＳ Ｏｃｃａｓｉｏｎにおいて、前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信する。
【０１６５】
オプションとして、前記送信モジュール３０１は、前記ＰＤＣＣＨ命令受信成功のフィードバック情報を、新たなＭＡＣ制御エレメントを介して、前記ネットワーク側装置に送信する。
【０１６６】
ここで、前記新たなＭＡＣ制御エレメントは、３ＧＰＰ ＴＳ ３６.３２１プロトコルに規定されたＭＡＣ制御エレメントと異なるＭＡＣ制御エレメントである。
【０１６７】
オプションとして、前記新たなＭＡＣ制御エレメント長は、０ｂｉｔまたは８ｂｉｔである。
【０１６８】
オプションとして、前記送信モジュール３０１は、新たな第１ＭＡＣサブヘッダー論理チャネル識別子値を前記ＭＡＣ ＰＤＵに入れる。
【０１６９】
ここで、前記新たな第１ＭＡＣサブヘッダー論理チャネル識別子値は、前記ＭＡＣ制御エレメントが新たなＭＡＣ制御エレメントであることを示すためのものである。
【０１７０】
オプションとして、前記送信モジュール３０１は、前記ＰＤＣＣＨ命令受信成功のフィードバック情報を、新たなＢＳＲ ＭＡＣ制御エレメントを介して、前記ネットワーク側装置に送信する。
【０１７１】
ここで、前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントである。
【０１７２】
オプションとして、前記新たなＢＳＲ ＭＡＣ制御エレメントの構成は下記記載のうちの一部であるか全部である。
【０１７３】
ｌｏｎｇ ＢＳＲ、ｓｈｏｒｔ ＢＳＲ及びｔｒｕｎｃａｔｅｄ ＢＳＲ。
【０１７４】
オプションとして、前記新たなＢＳＲ ＭＡＣ制御エレメントのＭＡＣ ＰＤＵには従来のＢＳＲ ＭＡＣ制御エレメントが有さない。
【０１７５】
ここで、前記従来のＢＳＲ ＭＡＣ制御エレメントは、３ＧＰＰ ＴＳ ３６.３２１プロトコルに規定されたＢＳＲ ＭＡＣ制御エレメントである。
【０１７６】
オプションとして、前記送信モジュール３０１は、新たな第２ＭＡＣサブヘッダー論理チャネル識別子値を前記ＭＡＣ ＰＤＵに入れる。
【０１７７】
ここで、前記新たな第２ＭＡＣサブヘッダー論理チャネル識別子値は、前記ＢＳＲ ＭＡＣ制御エレメントが新たなＢＳＲ ＭＡＣ制御エレメントであることを示すためのものである。
【０１７８】
同様な発明思想に基づき、本発明に係る実施例はネットワーク側装置を提供し、前記ネットワーク側装置の問題解決原理が本発明に係る実施例図２に示すフィードバックの受信方法と類似するため、当該ネットワーク側装置の実施は方法の実施を参照すればよく、繰り返して説明しない。
【０１７９】
図４に示すように、本発明に係る実施例の第１第１種のドバックを受信するネットワーク側装置は、端末にＰＤＣＣＨ命令を送信する第２送信モジュール４００と、前記端末からのＭＡＣ制御エレメントまたはＢＳＲ ＭＡＣ制御エレメントを受信した後、前記端末が前記ＰＤＣＣＨ命令受信成功のフィードバック情報をＭＡＣ ＰＤＵ内のＭＡＣ制御エレメントまたはＢＳＲ ＭＡＣ制御エレメントを介して送信すると確定した後、前記端末が前記ＰＤＣＣＨ命令を成功に受信したと確定する処理モジュール４０１とを備える。
【０１８０】
オプションとして、前記処理モジュール４０１は、前記端末が前記ＰＤＣＣＨ命令受信成功のフィードバック情報を新たなＭＡＣ制御エレメントを介して前記ネットワーク側装置に送信すると確定する。
【０１８１】
ここで、前記新たなＭＡＣ制御エレメントは、３ＧＰＰ ＴＳ ３６.３２１プロトコルに規定されたＭＡＣ制御エレメントと異なるＭＡＣ制御エレメントである。
【０１８２】
オプションとして、前記処理モジュール４０１は、前記ＭＡＣ ＰＤＵ内の新たな第１ＭＡＣサブヘッダー論理チャネル識別子値に基づき、対応の前記ＭＡＣ制御エレメントを新たなＭＡＣ制御エレメントとして確定する。
【０１８３】
オプションとして、前記処理モジュール４０１は、前記端末が前記ＰＤＣＣＨ命令受信成功のフィードバック情報を新たなＢＳＲ ＭＡＣ制御エレメントを介して前記ネットワーク側装置に送信すると確定する。
【０１８４】
ここで、前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントである。
【０１８５】
オプションとして、前記処理モジュール４０１は、前記ＭＡＣ ＰＤＵ内の新たな第２ＭＡＣサブヘッダー論理チャネル識別子値に基づき、対応の前記ＢＳＲ ＭＡＣ制御エレメントを新たなＢＳＲ ＭＡＣ制御エレメントとして確定する。
【０１８６】
同様な発明思想に基づき、本発明に係る実施例は端末を提供する。当該端末の問題解決原理が本発明に係る実施例の図１に示すフィードバックの送信方法と類似するため、当該端末の実施は方法の実施を参照すればよく、繰り返して説明しない。
【０１８７】
図５に示すように、本発明に係る実施例の第２種のフィードバックを送信する端末は、メモリ５０４に格納されたプログラムを読み出すプロセッサ５０１と、プロセッサ５０１の制御によりデータを送受信する送受信機５０２とを備える。
【０１８８】
前記プロセッサ５０１は、送受信機５０２によりネットワーク側装置からのＰＤＣＣＨ命令を受信する。
【０１８９】
また、送受信機５０２により、前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信する。
【０１９０】
オプションとして、前記プロセッサ５０１は、
ネットワーク側装置からのＰＤＣＣＨ命令を受信した後、直近のアップリンク伝送または直近のＳＰＳ Ｏｃｃａｓｉｏｎにおいて、前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信する。
【０１９１】
オプションとして、前記プロセッサ５０１は、前記ＰＤＣＣＨ命令受信成功のフィードバック情報を、新たなＭＡＣ制御エレメントを介して、前記ネットワーク側装置に送信する。
【０１９２】
ここで、前記新たなＭＡＣ制御エレメントは、３ＧＰＰ ＴＳ ３６.３２１プロトコルに規定されたＭＡＣ制御エレメントと異なるＭＡＣ制御エレメントである。
【０１９３】
オプションとして、前記新たなＭＡＣ制御エレメント長は、０ｂｉｔまたは８ｂｉｔである。
【０１９４】
オプションとして、前記プロセッサ５０１は、新たな第１ＭＡＣサブヘッダー論理チャネル識別子値を前記ＭＡＣ ＰＤＵに入れる。
【０１９５】
ここで、前記新たな第１ＭＡＣサブヘッダー論理チャネル識別子値は、前記ＭＡＣ制御エレメントが新たなＭＡＣ制御エレメントであることを示すためのものである。
【０１９６】
オプションとして、前記プロセッサ５０１は、前記ＰＤＣＣＨ命令受信成功のフィードバック情報を、新たなＢＳＲ ＭＡＣ制御エレメントを介して、前記ネットワーク側装置に送信する。
【０１９７】
ここで、前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントである。
【０１９８】
オプションとして、前記新たなＢＳＲ ＭＡＣ制御エレメントの構成は下記記載のうちの一部であるか全部である。
【０１９９】
*  ｌｏｎｇ ＢＳＲ、ｓｈｏｒｔ ＢＳＲ及びｔｒｕｎｃａｔｅｄ ＢＳＲ。
【０２００】
オプションとして、前記新たなＢＳＲ ＭＡＣ制御エレメントのＭＡＣ ＰＤＵには従来のＢＳＲ ＭＡＣ制御エレメントが有さない。
【０２０１】
ここで、前記従来のＢＳＲ ＭＡＣ制御エレメントは、３ＧＰＰ ＴＳ ３６.３２１プロトコルに規定されたＢＳＲ ＭＡＣ制御エレメントである。
【０２０２】
オプションとして、前記プロセッサ５０１は、新たな第２ＭＡＣサブヘッダー論理チャネル識別子値を前記ＭＡＣ ＰＤＵに入れる。
【０２０３】
前記新たな第２ＭＡＣサブヘッダー論理チャネル識別子値は、前記ＢＳＲ ＭＡＣ制御エレメントが新たなＢＳＲ ＭＡＣ制御エレメントであることを示すためのものである。
【０２０４】
図５において、バスアーキテクチャ（バスインターフェース５００を代表とする）は、いずれ数の相互接続するバス及びブリッジを備える。具体的にに、プロセッサ５０１が代表となる１つまたは複数のプロセッサ及びメモリ５０４が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはバス５００及び送受信機５０２の間にインターフェースを提供する。送受信機５０２は、複数の部品であることができ、即ち、送信機及び受信機を備え、伝送媒体を介して他の装置と通信するユニットを提供する。プロセッサ５０１により処理されたデータは、アンテナ５０５を介して無線媒体において伝送され、さらに、アンテナ５０５は、データを受信してデータをプロセッサ５０１に伝送する。
【０２０５】
プロセッサ５０１は、バズアーキテクチャ５００及び通常の処理を監視し、その以外、タイミング、ペリフェラル インターフェイス、電圧レギュレーション、パワー・マネジメント及び他の制御機能を含む多様の機能を提供することができる。また、メモリ５０４は、プロセッサ５０１が動作する際に利用するデータを記憶することができる。
【０２０６】
オプションとして、プロセッサ５０１は、中央処理装置（ＣＰＵ）、ＡＳＩＣ（ＡＰＰｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ−Ｐｒｏｇｒａｍｍａｂｌｅ Ｇａｔｅ Ａｒｒａｙ）またはＣＰＬＤ（Ｃｏｍｐｌｅｘ Ｐｒｏｇｒａｍｍａｂｌｅ Ｌｏｇｉｃ Ｄｅｖｉｃｅ）であることができる。
【０２０７】
同様な発明思想に基づき、本発明に係る実施例は、ネットワーク側装置を提供し、ネットワーク側装置の問題解決原理が本発明に係る実施例の図２に示すフィードバックの受信方法と類似するため、当該ネットワーク側装置の実施は方法の実施を参照すればよく、繰り返して説明しない。
【０２０８】
図６に示すように、本発明に係る実施例第２種のフィードバックを受信するネットワーク側装置は、メモリ６０４に格納されたプログラムを読み出すプロセッサ６０１と、在プロセッサ６０１の制御によりデータを送受信する送受信機６０２とを備える。
【０２０９】
前記プロセッサ６０１は、送受信機６０２により端末にＰＤＣＣＨ命令を送信する。
【０２１０】
また、前記送受信機６０２により前記端末からのＭＡＣ制御エレメントまたはＢＳＲ ＭＡＣ制御エレメントを受信した後、前記端末が前記ＰＤＣＣＨ命令受信成功のフィードバック情報をＭＡＣ ＰＤＵ内のＭＡＣ制御エレメントまたはＢＳＲ ＭＡＣ制御エレメントを介して送信すると確定した後、前記端末が前記ＰＤＣＣＨ命令を成功に受信したと確定する。
【０２１１】
オプションとして、前記プロセッサ６０１は、前記端末が前記ＰＤＣＣＨ命令受信成功のフィードバック情報を新たなＭＡＣ制御エレメントを介して前記ネットワーク側装置に送信すると確定する。
【０２１２】
ここで、前記新たなＭＡＣ制御エレメントは、３ＧＰＰ ＴＳ ３６.３２１プロトコルに規定されたＭＡＣ制御エレメントと異なるＭＡＣ制御エレメントである。
【０２１３】
オプションとして、前記プロセッサ６０１は、前記ＭＡＣ ＰＤＵ内の新たな第１ＭＡＣサブヘッダー論理チャネル識別子値に基づき、対応の前記ＭＡＣ制御エレメントを新たなＭＡＣ制御エレメントとして確定する。
【０２１４】
オプションとして、前記プロセッサ６０１は、前記端末が前記ＰＤＣＣＨ命令受信成功のフィードバック情報を新たなＢＳＲ ＭＡＣ制御エレメントを介して前記ネットワーク側装置に送信すると確定する。
【０２１５】
ここで、前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントである。
【０２１６】
オプションとして、前記プロセッサ６０１は、前記ＭＡＣ ＰＤＵ内の新たな第２ＭＡＣサブヘッダー論理チャネル識別子値に基づき、対応の前記ＢＳＲ ＭＡＣ制御エレメントを新たなＢＳＲ ＭＡＣ制御エレメントとして確定する。
【０２１７】
図６において、バスアーキテクチャ（バスインターフェース６００を代表とする）は、いずれ数の相互接続するバス及びブリッジを備える。具体的にに、プロセッサ６０１が代表となる１つまたは複数のプロセッサ及びメモリ６０４が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはバス６００及び送受信機６０２の間にインターフェースを提供する。送受信機６０２は、１つの部品であってもよく、複数の部品であることもでき、例えば、複数の送信機及び受信機を備え、伝送媒体を介して他の装置と通信するユニットを提供する。例えば：送受信機６０２は、他の装置から外部データを受信する。送受信機６０２は、プロセッサ６０１により処理されたデータを他の装置に送信する。計算システムにより、ユーザーインターフェース６０５をさらに提供することができ、例えば、キーパッド、ディスプレー、スピーカー、マイクロホン、ジョイスティック等を提供することができる。
【０２１８】
プロセッサ６０１は、バズアーキテクチャ６００及び通常の処理を監視し、その以外、タイミング、ペリフェラル インターフェイス、電圧レギュレーション、パワー・マネジメント及び他の制御機能を含む多様の機能を提供することができる。また、メモリ６０４は、プロセッサ６０１が動作する際に利用するデータを記憶することができる。
【０２１９】
プロセッサ６０１バズアーキテクチャ６００及び通常の処理を管理し、例えば、前に説明した汎用操作システムの運行を管理する。また、メモリ６０４は、プロセッサ６０１が動作する際に利用するデータを記憶する。
【０２２０】
オプションとして、プロセッサ６０１は、CPU、ASIC、FPGAまたはCPLDであることができる。
【０２２１】
上記の記載によれば、本発明に係る実施例端末はネットワーク側装置からのＰＤＣＣＨ命令を受信した後、前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信することにより、ネットワーク側装置にＰＤＣＣＨ命令受信成功を通知し、これにより、ｅＮｏｄｅＢがＰＤＣＣＨ命令を送信した後、ＵＥが成功に受信したか否かを判断することができ、システム性能をさらに向上することができる。
【０２２２】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【図１】
2018533325.tif 000004
【図２】
2018533325.tif 000005
【図３】
2018533325.tif 000006
【図４】
2018533325.tif 000007
【図５】
2018533325.tif 000008
【図６】
2018533325.tif 000009
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
端末はネットワーク側装置から物理ダウンリンク制御チャネル（ＰＤＣＣＨ）命令を受信するステップと、
前記端末は、前記ＰＤＣＣＨ命令受信成功のフィードバック情報を、メディアアクセス制御プロトコルデータユニットＭＡＣ ＰＤＵ内のメディアアクセス層ＭＡＣ制御エレメント或バッファ状態報告ＢＳＲ ＭＡＣ制御エレメントを介して、前記ネットワーク側装置に送信するステップとを備えることを特徴とするフィードバックの送信方法。
【請求項２】
前記端末が前記ＰＤＣＣＨ命令受信成功のフィードバック情報をＭＡＣ ＰＤＵ内のＭＡＣ制御エレメントまたはＢＳＲ ＭＡＣ制御エレメントを介して前記ネットワーク側装置に送信するステップは、前記端末は、ネットワーク側装置からのＰＤＣＣＨ命令を受信した後、直近のアップリンク伝送または直近のＳＰＳ Ｏｃｃａｓｉｏｎにおいて、前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信することを特徴とする請求項１に記載のフィードバックの送信方法。
【請求項３】
前記端末が前記ＰＤＣＣＨ命令受信成功のフィードバック情報をＭＡＣ ＰＤＵ内のＭＡＣ制御エレメントを介して前記ネットワーク側装置に送信するステップは、前記端末は、前記ＰＤＣＣＨ命令受信成功のフィードバック情報を、新たなＭＡＣ制御エレメントを介して、前記ネットワーク側装置に送信し、
前記新たなＭＡＣ制御エレメントは、３ＧＰＰ ＴＳ ３６.３２１プロトコルに規定されたＭＡＣ制御エレメントと異なるＭＡＣ制御エレメントであることを特徴とする請求項１に記載のフィードバックの送信方法。
【請求項４】
前記新たなＭＡＣ制御エレメント長は、０ｂｉｔまたは８ｂｉｔであることを特徴とする請求項３に記載のフィードバックの送信方法。
【請求項５】
前記端末が、ネットワーク側装置からのＰＤＣＣＨ命令を受信した後、前記ＰＤＣＣＨ命令受信成功のフィードバック情報を、ＭＡＣ ＰＤＵ内のＭＡＣ制御エレメントを介して、前記ネットワーク側装置に送信する前、前記端末は、新たな第１ＭＡＣサブヘッダー論理チャネル識別子値を、前記ＭＡＣ ＰＤＵに入れるステップをさらに備え、
前記新たな第１ＭＡＣサブヘッダー論理チャネル識別子値は、前記ＭＡＣ制御エレメントが新たなＭＡＣ制御エレメントであることを示すためのものであることを特徴とする請求項３に記載のフィードバックの送信方法。
【請求項６】
前記端末が前記ＰＤＣＣＨ命令受信成功のフィードバック情報をＭＡＣ ＰＤＵ内のＢＳＲ ＭＡＣ制御エレメントを介して前記ネットワーク側装置に送信するステップは、前記端末は、前記ＰＤＣＣＨ命令受信成功のフィードバック情報を、新たなＢＳＲ ＭＡＣ制御エレメントを介して、前記ネットワーク側装置に送信し、
前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントであることを特徴とする請求項１に記載のフィードバックの送信方法。
【請求項７】
前記新たなＢＳＲ ＭＡＣ制御エレメントの構成はは、ｌｏｎｇ ＢＳＲ、ｓｈｏｒｔ ＢＳＲ及びｔｒｕｎｃａｔｅｄ ＢＳＲのうちの一部であるか全部であることを特徴とする請求項６に記載のフィードバックの送信方法。
【請求項８】
前記新たなＢＳＲ ＭＡＣ制御エレメントのＭＡＣ ＰＤＵには従来のＢＳＲ ＭＡＣ制御エレメントが有さなく、
前記従来のＢＳＲ ＭＡＣ制御エレメントは、３ＧＰＰ ＴＳ ３６.３２１プロトコルに規定されたＢＳＲ ＭＡＣ制御エレメントであることを特徴とする請求項６に記載のフィードバックの送信方法。
【請求項９】
前記端末は、ネットワーク側装置からのＰＤＣＣＨ命令を受信した後、前記ＰＤＣＣＨ命令受信成功のフィードバック情報を、ＭＡＣ ＰＤＵ内のＢＳＲ ＭＡＣ制御エレメントを介して、前記ネットワーク側装置に送信する前、前記端末は、新たな第２ＭＡＣサブヘッダー論理チャネル識別子値を、前記ＭＡＣ ＰＤＵに入れるステップをさらに備え、
前記新たな第２ＭＡＣサブヘッダー論理チャネル識別子値は、前記ＢＳＲ ＭＡＣ制御エレメントが新たなＢＳＲ ＭＡＣ制御エレメントであることを示すためのものであることを特徴とする請求項６に記載のフィードバックの送信方法。
【請求項１０】
ネットワーク側装置は、端末にＰＤＣＣＨ命令を送信するステップと、
前記ネットワーク側装置は、前記端末からのＭＡＣ制御エレメントまたはＢＳＲ ＭＡＣ制御エレメントを受信した後、前記端末が前記ＰＤＣＣＨ命令受信成功のフィードバック情報をＭＡＣ ＰＤＵ内のＭＡＣ制御エレメントまたはＢＳＲ ＭＡＣ制御エレメントを介して送信すると確定した後、前記端末が前記ＰＤＣＣＨ命令を成功に受信したと確定するステップとを備えることを特徴とするフィードバックの受信方法。
【請求項１１】
前記ネットワーク側装置が、前記端末が前記ＰＤＣＣＨ命令受信成功のフィードバック情報をＭＡＣ ＰＤＵ内のＭＡＣ制御エレメントを介して送信すると確定するステップは、前記ネットワーク側装置は、前記端末が、前記ＰＤＣＣＨ命令受信成功のフィードバック情報を、新たなＭＡＣ制御エレメントを介して、前記ネットワーク側装置に送信すると確定し、
前記新たなＭＡＣ制御エレメントは、３ＧＰＰ ＴＳ ３６.３２１プロトコルに規定されたＭＡＣ制御エレメントと異なるＭＡＣ制御エレメントであり、
前記ネットワーク側装置は、前記端末が前記ＰＤＣＣＨ命令受信成功のフィードバック情報をＭＡＣ ＰＤＵ内のＢＳＲ ＭＡＣ制御エレメントを介して送信すると確定するステップは、前記ネットワーク側装置は、前記端末が、前記ＰＤＣＣＨ命令受信成功のフィードバック情報を、新たなＢＳＲ ＭＡＣ制御エレメントを介して、前記ネットワーク側装置に送信すると確定し、
前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントである。ことを特徴とする請求項１０に記載のフィードバックの受信方法。
【請求項１２】
ネットワーク側装置からのＰＤＣＣＨ命令を受信する第１受信モジュールと、
前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信する送信モジュールとを備えることを特徴とするフィードバックを送信する端末。
【請求項１３】
前記送信モジュールは、ネットワーク側装置からのＰＤＣＣＨ命令を受信した後、直近のアップリンク伝送または直近のＳＰＳ Ｏｃｃａｓｉｏｎにおいて、前記ＰＤＣＣＨ命令受信成功のフィードバック情報を、ＭＡＣ ＰＤＵ内のＭＡＣ制御エレメントまたはＢＳＲ ＭＡＣ制御エレメントを介して、前記ネットワーク側装置に送信することを特徴とする請求項１２に記載のフィードバックを送信する端末。
【請求項１４】
前記送信モジュールは、前記ＰＤＣＣＨ命令受信成功のフィードバック情報を、新たなＭＡＣ制御エレメントを介して、前記ネットワーク側装置に送信し、
前記新たなＭＡＣ制御エレメントは、３ＧＰＰ ＴＳ ３６.３２１プロトコルに規定されたＭＡＣ制御エレメントと異なるＭＡＣ制御エレメントであり、
前記送信モジュールは、前記ＰＤＣＣＨ命令受信成功のフィードバック情報を、新たなＢＳＲ ＭＡＣ制御エレメントを介して、前記ネットワーク側装置に送信し、
前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントであることを特徴とする請求項１２に記載のフィードバックを送信する端末。
【請求項１５】
前記ネットワーク側装置は、
端末にＰＤＣＣＨ命令を送信する第２送信モジュールと、
前記端末からのＭＡＣ制御エレメントまたはＢＳＲ ＭＡＣ制御エレメントを受信した後、前記端末が前記ＰＤＣＣＨ命令受信成功のフィードバック情報をＭＡＣ ＰＤＵ内のＭＡＣ制御エレメントまたはＢＳＲ ＭＡＣ制御エレメントを介して送信すると確定した後、前記端末が前記ＰＤＣＣＨ命令を成功に受信したと確定する処理モジュールとを備えることを特徴とするフィードバックを受信するネットワーク側装置。
【請求項１６】
前記処理モジュールは、
前記端末が前記ＰＤＣＣＨ命令受信成功のフィードバック情報を新たなＭＡＣ制御エレメントを介して前記ネットワーク側装置に送信すると確定し、
前記新たなＭＡＣ制御エレメントは、３ＧＰＰ ＴＳ ３６.３２１プロトコルに規定されたＭＡＣ制御エレメントと異なるＭＡＣ制御エレメントであり、
前記処理モジュールは、前記端末が前記ＰＤＣＣＨ命令受信成功のフィードバック情報を新たなＢＳＲ ＭＡＣ制御エレメントを介して前記ネットワーク側装置に送信すると確定し、
前記新たなＢＳＲ ＭＡＣ制御エレメントは、３ＧＰＰ ＴＳ ３６.３２１プロトコルに規定されたＢＳＲ ＭＡＣ制御エレメントと異なるＢＳＲ ＭＡＣ制御エレメントであることを特徴とする請求項１５に記載のフィードバックを受信するネットワーク側装置。
【国際調査報告】
2018533325.tif 000010
2018533325.tif 000011
2018533325.tif 000012
2018533325.tif 000013